(57)【要約】      （修正有）【課題】周辺もしくは隣接する他物品とのバランスをとって商品の展示の位置を調整し、曲尺商品の販売実績を常時安定させる曲尺展示用什器を提供する。【解決手段】複数本の曲尺を引掛け展示する長枝係止部２と短枝阻止部３を係止する枠部１とからなる展示枠体ａの後方部に、前記展示枠体ａを支持する支持枠体ｂ、ｂを取着し、前記支持枠体ｂ、ｂを構成する上方枠部５の後方部６と下方枠部７の後方部８に、スライド体ｃ、ｃのスライド部９を挿入し、前記スライド部９の出入を調整する前方調整ネジ１１を前記上方枠部５、７に取着し、且前記スライド体ｃ、ｃの垂直状支持部１０に後方調整ネジを１２夫々取着せしめた。【選択図】 図１
0003139023.tif 000002
【実用新案登録請求の範囲】
【請求項１】
複数本の曲尺ｓを引掛け展示する長枝係止部２と短枝阻止部３を係止する枠部１とからなる展示枠体ａの後方部に、前記展示枠体ａを支持する支持枠体ｂ、ｂを取着し、前記支持枠体ｂ、ｂを構成する上方枠部５の後方部６と下方枠部７の後方部８に、スライド体ｃ、ｃのスライド部９を挿入し、前記スライド部９の出入を調整する前方調整ネジ１１を前記上方枠部５、７に取着し、且前記スライド体ｃ、ｃの垂直状支持部１０に後方調整ネジを１２夫々取着せしめる嵌挿体ｄを接着せしめることを特徴とする曲尺展示用什器。
【請求項２】
前記展示枠体ａは、四辺形状にして、左辺部１５は上辺部１３より下辺部１６にかけて傾斜せしめ、前記展示枠体ａの上辺部１３と右辺部１４との直交部４より下辺部１６にかけて傾斜する内側辺部１７を設け、前記左辺部１５と前記内側辺部１７とに、前記曲尺ｓの長枝係止部２を突設し、前記展示枠体ａの下辺部１６に短枝阻止部３と長枝係止部２を突設せしめ形成することを特徴とする請求項１記載の曲尺展示用什器。
【請求項３】
前記支持枠体ｂ、ｂは、前記展示枠体ａに対向状に取着され、且スライド体ｃ、ｃは上方枠部５と下方枠部７に挿入可能なスライド部９をコ形状にて形成することを特徴とする請求項１又は同２記載の曲尺展示用什器。
【請求項４】
前記嵌挿体ｄは、前記スライド部９の垂直部１０に垂直状に取着し、且上面部２１に後方調整ネジ１２を螺入せしめることを特徴とする請求項１又は同２又は同３記載の曲尺展示用什器。
【考案の詳細な説明】
【技術分野】
【０００１】
本考案は、曲尺展示用什器の技術分野に関するものである。
【背景技術】
【０００２】
従来、曲尺展示用什器として、直接的には存在しないが、物品が類似するものとして、陳列什器のハンギング装置が特開平８−１７３２８１号公開特許公報として開示されている。
【０００３】
前記開示の陳列什器のハンギング装置は、上方に突出した側面視倒コ字形の突縁３・・・を上下一定間隔毎に多段に横設してなる陳列什器本体１と、上下の突縁３、３を利用して取付けてなるハンギング具２とよりなり、前記ハンギング具２は、前面にハンギング杆４を固定した基板５の上縁に前記突縁３に嵌合係止する側面視倒Ｌ字形の係止片６を後方へ向けて折曲形成するとともに、下縁に前記係止片６と同方向に向けて下片７を折曲形成し且該下７の一部の後縁に、下段の前記突縁３の背面８に係止する保持片９を下方へ向けて延設し、更に前記基板５の上部及び係止片６であって前記保持片９の直上に対応する部分に切欠部１０を形成してなるものである。
【０００４】
そのため、前記ハンギング杆４が多段方式でないので、曲尺を複数本を段違いにして展示することができない構成である。
【０００５】
さらに、前記開示のハンギング装置は、基板５に対し、前記ハンギング杆４を前方に前進させたり、あるいは後進させることができない構成である。
【０００６】
また、前記開示のハンギング装置は、ハンギング杆４の高さを微調整するための機構が取着されていない。
【０００７】
さらに、従来商品陳列用フック装置が、特開２００２−７８５７８の公開特許公報として開示されている。
【０００８】
前記開示の商品陳列用フック装置は、商品を陳列するバー５及びプライスカード支持用のバー９を含むネットフック３、４が共に、前方向もしくは後方向にスライドができない機構である。
【０００９】
【特許文献１】特開平８−１７３２８１号公開特許公報
【特許文献２】特開２００２−７８５７８公開特許公報
【考案の開示】
【考案が解決しようとする課題】
【００１０】
しかるに本考案が解決しようとする課題は、店頭にて販売する複数本の曲尺を展示する什器は、それのみが商品陳列コーナーに展示されるものではなく、他品種物品と混在して後方壁面等に予め水平状に取着されている取着バーに引掛けもしくは嵌挿させ陳列していた。
【００１１】
そのため、同じブースに並列状に展示されている他物品に隠れてしまって、購買者もしくは看者に注目されにくくなり、ひいては曲尺の販売実績に影響することがある。
【００１２】
前記のような欠陥を除去するために、什器によって折角展示されている曲尺が、隣接するもしくは周辺の他物品によって隠蔽されそうになったときは、展示什器を前方向に前進させ、あるいは隣接もしくは周辺の他物品が凹んでしまったときは、前記展示什器を後進させ、周辺もしくは隣接する他物品とのバランスをとって商品の展示の位置を調整し、曲尺商品の販売実績を常時安定させるものである。
【００１３】
さらに、本考案の曲尺展示用什器は、展示する曲尺がメーカー毎に形状等に若干の変化があるのに対応して、後方に取着の取着バーに嵌挿する嵌挿部の高さを微調整ができるようにした。
【００１４】
そのため、メーカー毎に異なる曲尺でも、前記のように什器の高さを微調整をして、購買者らが見やすい高さにて展示して購入しやすくし、ひいては商品の販売実績をアップせしめるようにした。
【課題を解決するための手段】
【００１５】
課題を解決するための手段として、請求項１記載の考案は、複数本の曲尺ｓを引掛け展示する長枝係止部２と短枝阻止部３を係止する枠部１とからなる展示枠体ａの後方部に、前記展示枠体ａを支持する支持枠体ｂ、ｂを取着し、前記支持枠体ｂ、ｂを構成する上方枠部５の後方部６と下方枠部７の後方部８に、スライド体ｃ、ｃのスライド部９を挿入し、前記スライド部９の出入を調整する前方調整ネジ１１を前記上方枠部５、７に取着し、且前記スライド体ｃ、ｃの垂直状支持部１０に後方調整ネジを１２夫々取着せしめる嵌挿体ｄを接着せしめることを特徴とする曲尺展示用什器である。
【００１６】
課題を解決するための手段として、請求項２記載の考案は、前記展示枠体ａは、四辺形状にして、左辺部１５は上辺部１３より下辺部１６にかけて傾斜せしめ、前記展示枠体ａの上辺部１３と右辺部１４との直交部４より下辺部１６にかけて傾斜する内側辺部１７を設け、前記左辺部１５と前記内側辺部１７とに、前記曲尺ｓの長枝係止部２を突設し、前記展示枠体ａの下辺部１６に短枝阻止部３と長枝係止部２を突設せしめ形成することを特徴とする請求項１記載の曲尺展示用什器である。
【００１７】
課題を解決するための手段として、請求項３記載の考案は、前記支持枠体ｂ、ｂは、前記展示枠体ａに対向状に取着され、且スライド体ｃ、ｃは上方枠部５と下方枠部７に挿入可能なスライド部９をコ形状にて形成することを特徴とする請求項１又は同２記載の曲尺展示用什器である。
【００１８】
課題を解決するための手段として、請求項４記載の考案は、前記嵌挿体ｄは、前記スライド部９の垂直部１０に垂直状に取着し、且上面部２１に後方調整ネジ１２を螺入せしめることを特徴とする請求項１又は同２又は同３記載の曲尺展示用什器である。
【考案の効果】
【００１９】
請求項１記載の電動丸鋸用定規は、複数本の曲尺ｓを引掛け展示する長枝係止部２と短枝阻止部３を係止する枠部１とからなる展示枠体ａの後方部に、前記展示枠体ａを支持する支持枠体ｂ、ｂを取着し、前記支持枠体ｂ、ｂを構成する上方枠部５の後方部６と下方枠部７の後方部８に、スライド体ｃ、ｃのスライド部９を挿入し、前記スライド部９の出入を調整する前方調整ネジ１１を前記上方枠部５、７に取着し、且前記スライド体ｃ、ｃの垂直状支持部１０に後方調整ネジを１２夫々取着せしめる嵌挿体ｄを接着せしめる曲尺展示用什器なので、常時什器を前方もしくは後方に自在にスライドさせることができる。
【００２０】
そのため、同じブースに展示されている隣接もしくは周辺の他物品によって購買者らが見にくくなることはなく、購買者の購買意欲がそがれることもない利点を有している。
【００２１】
さらに、本考案の什器は、什器の高さの微調整を可能にしてメーカー毎に異なる形状の曲尺でも、十分対応せしめて購買者に見やすく、且購買意欲をそがないようにした。
【００２２】
請求項２記載の考案は、前記展示枠体ａは、四辺形状にして、左辺部１５は上辺部１３より下辺部１６にかけて傾斜せしめ、前記展示枠体ａの上辺部１３と右辺部１４との直交部４より下辺部１６にかけて傾斜する内側辺部１７を設け、前記左辺部１５と前記内側辺部１７とに、前記曲尺ｓの長枝係止部２を突設し、前記展示枠体ａの下辺部１６に短枝阻止部３と長枝係止部２を突設せしめ形成する曲尺展示用什器なので、前記請求項１記載の考案と同じ効果を有している。
【００２３】
請求項３記載の考案は、前記支持枠体ｂ、ｂは、前記展示枠体ａに対向状に取着され、且スライド体ｃ、ｃは上方枠部５と下方枠部７に挿入可能なスライド部９をコ形状にて形成する曲尺展示用什器なので、什器の前進もしくは後進をスムーズにした。
【００２４】
さらに、本考案は、前記請求項１又は同２記載の考案と同じ効果を有している。
【００２５】
請求項４記載の考案は、前記嵌挿体ｄは、前記スライド部９の垂直部１０に垂直状に取着し、且上面部２１に後方調整ネジ１２を螺入せしめる曲尺展示用什器なので、メーカー毎に形状が異なる曲尺でも、商品の高さを微調整して、購買者が曲尺商品を購入しやすい位置に微調整することができる。
【００２６】
さらに、本考案は、前記請求項１又は同２又は同３記載の考案と同じ効果を有している。
【考案を実施するための最良の形態】
【００２７】
本考案の請求項１〜４記載の考案に関する実施の形態は、共通しているので一括して以下のとおり説明する。
【００２８】
図面においてＡは曲尺展示用什器であり、以下の構成からなっている。
【００２９】
前記什器Ａは、展示枠体ａと支持枠体ｂ、ｂとからなっている。
【００３０】
前記展示枠体ａは、曲尺１を引掛け展示する長枝係止部２と短枝阻止部３と係止する枠体ａは、四辺形状にして上辺部１３と右辺部１４と左辺部１５と下辺部１６からなる。
【００３１】
そして、前記上辺部１３と右辺部１４との直交部４より下方端部が下辺部１６にかけて傾斜し、接着する内側辺部１７を設ける。
【００３２】
前記左辺部１５と内側辺部１７とに、曲尺１の長枝係止部２を所定の間隔をあけて多段式にして水平状に突設する。
【００３３】
さらに前記展示枠体ａの下辺部１６には、短枝阻止部３を右側方より所定の間隔をあけて複数本を水平状に突設する。
【００３４】
また前記内側辺部１７の下方部と下辺部１６とが交叉する部位の前記下辺部１６に、前記長枝係止部２を突設する。
【００３５】
さらに前記左辺部１５の下辺部が交叉する部位の下辺部１６に長枝係止部２を突設する。
【００３６】
１８は前記左辺部１５と前記下辺部１６に突設する長枝係止部２に接続するプライス表示板である。
【００３７】
前記長枝係止部２と短枝阻止部３との関係は、前記曲尺１が長枝係止部２に係止させる下方に垂直状に垂下する曲尺１の短枝部が前記短枝阻止部３に嵌挿し、ふら付きを阻止する。
【００３８】
つぎに前記支持枠体ｂ、ｂにつき説明する。
【００３９】
一方の支持枠体ｂは、前記展示枠体ａの中、上辺部１３と右辺部１４との交叉部１６との交叉部と、前記右辺部１４と下辺部１６との交叉部とに夫々水平状に延設する所定長さのパイプ状の上方枠部５と下方枠部７を取着する。そして前記上下枠部５、７との間に垂直状の補強部１９を取着する。
【００４０】
他方の支持枠体ｂは、前記展示枠体ａの中、上辺部１３と左辺部１５との交叉部と、前記下辺部１６とに夫々水平状に延設する所定長さのパイプ状の上方枠部５と下方枠部７を取着する。そして前記上下枠部５、７との間に垂直状の補強部２０を取着する。
【００４１】
そして、前記上方枠部５と下方枠部７内に挿入するスライド体ｃ、ｃのスライド部９をコ形状にて形成する。
【００４２】
１０は前記スライド体ｃ、ｃを構成する垂直状支持部である。
【００４３】
そして前記スライド体ｃ、ｃには、前記スライド部９を接続する垂直状支持部１０を有する。
【００４４】
以上がスライド体ｃ、ｃの構成である。
【００４５】
１１は前記スライド部９の出入する長さを調整する前記上方枠部５、７に取着する前方調整ネジである。
【００４６】
さらに前記スライド体ｃ、ｃの垂直状支持部１０に、後方嵌挿体ｄを夫々接着する。
【００４７】
そして前記嵌挿体ｄの上面部２０に後方調整ネジ１２を夫々取着する。
【００４８】
本考案の展示什器Ａは、上記の各構成部材をもって組立てられている。
【００４９】
２２は展示用什器Ａを陳列するとき引掛けるための水平状のバーである。
【００５０】
本考案は、前記展示枠体ａを前進もしくは後進させるには以下のように操作する。
【００５１】
前記左右両サイドの前方調整ネジ１１をゆるめて、前記展示枠体ａをつかみ前方向に引出してやる。
【００５２】
そのとき、前記スライド体ｃ、ｃのスライド部９、９は、そのままの状態となっているので、前記展示枠体ａは容易に所定の距離分だけ引き出すことができる。
【００５３】
前記のように展示枠体ａを前進させた後、前方調整ネジ１１を緊締する。
【００５４】
さらに、本考案の展示什器Ａの高さを微調整するときは、前方後方調整ネジ１２を回転せしめ、前記ネジ１２の下方端部を下方向に降下せしめるだけで良い。
【００５５】
その結果、前記嵌挿体ｄがバー２１への嵌挿が僅かではあるが浅くなって嵌挿する。
【図面の簡単な説明】
【００５６】
【図１】本考案曲尺展示用什器の斜視図である。
【００５７】
【図２】同平面図である。
【００５８】
【図３】同要部の一部切欠縦断面図である。
【００５９】
【図４】同正面図である。
【符号の説明】
【００６０】
Ａ        曲尺展示用什器
ａ        展示枠体
ｂ        支持枠体
ｃ        スライド体
ｄ        嵌挿体
ｓ        曲尺
２        長枝係止部
３        短枝阻止部
４        直交部
５        上方枠部
６        後方部
７        下方枠部
８        後方部
９        スライド部
１０      垂直状支持部
１１      前方調整ネジ
１２      後方調整ネジ
１３      上辺部
１４      右辺部
１５      左辺部
１６      下辺部
１７      内側辺部
１９      プライス表示部
２０      補強部
２１      上面部
２２      バー
【図１】
0003139023.tif 000003
【図２】
0003139023.tif 000004
【図３】
0003139023.tif 000005
【図４】
0003139023.tif 000006